(57)【要約】【課題】  外からの光を遮蔽する為に窓際に吊設するカーテンであって、機能性及び意匠に優れると共に製作コストの安いカーテンの提供。【解決手段】  形状記憶素材を用いたカーテン生地１の上端部には吊具６を取付ける芯地２を縫い付けてプリーツ加工が施され、そして上記芯地２が縫い付けられている領域でのプリーツの谷部を縫製し、上記芯地２の上部には細幅のテープ１０を縫い合わせると共に一定ピッチでカーテン生地１との間に隙間を有す係止片３を形成し、該係止片３にカーテンレールに遊嵌してスライドするスライダーに吊設する吊具６を係止して取付けている。【選択図】    図５
2006223541.tif 000002
【特許請求の範囲】
【請求項１】
外からの光を遮蔽する為に窓際に吊設するカーテンにおいて、形状記憶素材を用いたカーテン生地の上端部には吊具を取付ける芯地を縫い付けてプリーツ加工が施され、そして上記芯地が縫い付けられている領域でのプリーツの谷部を縫製し、上記芯地の上部には細幅のテープを縫い合わせると共に一定ピッチでカーテン生地との間に隙間を有す係止片を形成し、該係止片にカーテンレールに遊嵌してスライドするスライダーに吊設する吊具を係止して取付けたことを特徴とするカーテン。
【請求項２】
上記吊具形状を概略「の形」とし、係止片が嵌る係止溝を有す係止部とスライダーに係止するフック部を有し、フック部は概略「へ字」形として係止部下方へ大きく延ばした請求項１記載のカーテン。
【請求項３】
カーテン生地の内側上端部に吊具を取付ける為に縫付ける芯地において、熱収縮性に優れた素材を使用した一定幅の帯状体であり、上部には細幅のテープを縫い合わせると共に所々には縫い合わせないで芯地との間に隙間を形成した係止片を設けたことを特徴とするカーテン用芯地。
【発明の詳細な説明】
【技術分野】
【０００１】
本発明はプリーツを規則正しく形成したカーテン及び該カーテンをカーテンレールに吊設する為の吊具を取付ける芯地に関するものである。
【背景技術】
【０００２】
カーテンは外からの直射日光を遮る為に部屋の窓際に取付けられ、該カーテンは窓上部のカーテンレールに吊設されて開閉可能と成っている。勿論、カーテンは直射日光を遮るためのみならず、部屋のインテリアとしての効果を有している。従って、カーテン生地は見る人に美感や落ち着きを生じる為に、プリーツが形成されるように成っている。
【０００３】
図６はプリーツ加工される前の従来のカーテン上端部を示しているが、カーテン生地(イ)の上端部には芯地(ロ)が縫い付けられている。カーテン生地(イ)の上端部(ハ)を折った折返し部(ト)に芯地(ロ)を当てがって縫い合わせ、芯地(ロ)には吊具(ニ)が係止して取付けされ、吊具(ニ)に取付けているフック(ホ)をカーテンレールに摺動自在に遊嵌しているランナーに引っ掛けることが出来る。
【０００４】
しかし、従来の芯地(ロ)は厚みがある為に、コストがかかると共にカーテン生地(イ)に縫い合わせるならば生地表面に吊具(ニ)が係止する芯地(ロ)のポケット部が現れてカーテンの外観が損なわれる。そして、芯地(ロ)は吊具(ニ)が刺される形態と成っているが、該吊具(ニ)を差し込む位置が芯地上縁(ヘ)からある間隔を隔てた下縁(チ)であるために、カーテン生地(イ)にシワが発生してしまう。
【０００５】
上記吊具(ニ)はそのサイズも大きくて、フック(ホ)の高さを変えることが出来るように調整可能な構造と成っている。その為に、該吊具(ニ)の製造コストは高く成ってしまう。一方、芯地(ロ)はカーテン生地(イ)の上端部を内側に折り返した折り返し部(ト)に縫い付けているが、２本の縫目(リ)、(リ)がカーテン生地(イ)の上端部表面に現れる為に、外観が損なわれる。上記吊具としては２００４−１８７７２６号に係る「カーテン吊具」が知られている。
【０００６】
一方、カーテンに関する技術も従来色々知られているが、特開２００４−２４９０９７号に係る「カーテン用芯地及びカーテン」は、製造作業が容易で、プリーツ形状も好ましいカーテンを目的としている。すなわち、カーテン本体の上端部に沿って取り付けられる帯状のカーテン用芯地において、繊維素材から形成された芯地本体を備え、この芯地本体に熱硬化性樹脂を含浸させた後乾燥させ、このカーテン生地をその長手方向に谷部と山部が交互に現れる形状に曲げた状態で熱硬化処理する。このような処理が施されたカーテン用芯地をカーテン本体の上部に取付け、この芯地を備えたカーテンはカーテンレールに吊されると、そのカーテン本体にはカーテン用芯地の形状に応じてプリーツが生じる。
【０００７】
しかし、上記カーテン及びその芯地にしてもその基本構造は前記図６と同じような問題を抱えている。
【特許文献１】２００４−１８７７２６号に係る「カーテン吊具」
【特許文献２】特開２００４−２４９０９７号に係る「カーテン用芯地及びカーテン」
【発明の開示】
【発明が解決しようとする課題】
【０００８】
このように、従来のカーテン及び芯地には上記のごとき問題がある。本発明が解決しようとする課題はこれら問題点であり、機能性及び意匠に優れると共に製作コストの安いカーテン及びカーテン用芯地を提供する。
【課題を解決するための手段】
【０００９】
本発明に係るカーテンはカーテン生地の上端部内側に芯地を縫い合わせ、該芯地に複数の吊具を一定間隔で係止している。そしてカーテン生地は形状記憶加工が施されてプリーツが形成され、上記芯地が縫い付けられたプリーツの上端谷部分を縫製して固めている。そして、芯地の上縁側はカーテン生地の上端部を折り返す前に縫い付けし、下縁は折り返した後で縫い付けしている。従って、縫目は一本だけが表面化するに過ぎない。
【００１０】
芯地は熱収縮性に優れた素材が使用され、該芯地の上部には細幅のテープが縫い合わされ、該テープには縫い合わされない係止片が一定ピッチで形成されている。この係止片に吊具が係止して取付けられるが、該吊具はフック部と芯地の係止片に係止する係止部から成っている。ここで、係止部は係止片から外れにくい形状としている。
【発明の効果】
【００１１】
本発明のカーテンはそのカーテン生地に形状記憶加工が施されてプリーツが形成され、芯地が縫い付けられるプリーツの上端部谷部分は縫製にて固められている為に、プリーツは何時までも崩れることがなく、カーテンの見栄えは向上する。そして、芯地は熱収縮性に優れた素材から成っている為に、カーテン生地を高温の釜に収容してプリーツ加工する場合にも耐えることが出来る。
【００１２】
そして、芯地に設けられる係止片は細幅である為に取付けられる吊具のサイズは小さく成り、外観が好ましくなると共に製作コストは安くなる。そして、吊具が係止して取付けられる位置はカーテン生地の上端部であるために、カーテン生地を吊設するに際してシワを発生することはない。又、芯地をカーテン生地に縫付ける縫目が一本しか表面化しないこともカーテンの外観を向上せしめる。
【実施例】
【００１３】
図１は芯地１を表している具体例であり、熱収縮性に優れた丈夫な糸を用いて一定幅に編製され、上端部には細幅のテープ１０が縫い合わされている。そして該テープ１０は一定間隔をおいて縫い合わされている為に、芯地２に縫い合わされていない係止片３，３・・が一定ピッチで形成されている。この係止片３は芯地２との間に隙間を作っている部分であり、その為に吊具が係止して取付けられる。
【００１４】
ところで、該芯地２はカーテン生地の上端部に縫い付けられるが、従来のように２本の縫目が表面化しない方法が用いられる。図２は芯地２をカーテン生地１に縫い付けする工程を表しているが、(ａ)はカーテン生地１の表面側に芯地２の上縁１１を揃えて縫い付けする場合である。この場合に、カーテン生地１の上縁側と下縁側が縫い合わされている。
【００１５】
(ｂ)はカーテン生地１を内側へ折り曲げた場合であり、縫目４は内側に位置するように折り曲げられる。(ｃ)は折り曲げられたカーテン生地１と芯地２が縫い付けられると共に折り曲げ位置を固定する。この場合、縫目５はカーテン生地１の表面にも現れる。
【００１６】
図３は吊具６を示す具体例である。該吊具６は樹脂の成形品であり、その形状は概略「の字」形をなし、係止部７とフック部８を有している。係止部７は概略「Ｕ形」を成し、フック部８は概略「へ形」として係止部７より下方へ大きく延びている。芯地２のテープ１０に設けた係止片３には該吊具６が係止して取付けられるが、係止部７に形成している係止溝９に係止片３が嵌ることに成る。
【００１７】
図４は係止片３が係止溝９に嵌って吊具６が芯地２に取付けられている場合を示している。該吊具６はフック部８の先端を係止片３と芯地２との間に形成される隙間へ挿入して回転することで、同図に示すように該係止片３は係止溝９に嵌る。係止溝９に一旦嵌った係止片３は吊具６が上下動しても逆回転しない限り外れることはない。
【００１８】
図５は本発明のカーテンの上端部内側を示している実施例である。カーテン生地１の上部内側には同図に示すように芯地２が縫い付けられ、該芯地２のテープに設けている係止片３，３・・には吊具６，６・・が係止して取付けられている。そして、カーテン生地１にはプリーツが形成され、該プリーツの表側から見た場合の谷部に相当する芯地２のＡ〜Ｂは縫製にて固められている。従って、該プリーツが崩れることはなく、折畳み状態及び伸長状態でのプリーツ形状は整然とした外観を呈す。
【００１９】
カーテン生地１のプリーツ加工は従来から行われているが、該カーテン生地としてポリエステル素材が使用され、このカーテン生地１の上端部には前記図２にて説明した作業工程にて芯地２が縫い付けられる。そして、芯地２が縫い付けられたカーテン生地１は型紙にて折った状態で真空釜に収容され、蒸気で加熱してプリーツ形状が記憶される。勿論、型紙を使用する場合に限らず、押型を用いることも可能である。
【図面の簡単な説明】
【００２０】
【図１】テープを縫い付けた芯地を示す具体例。
【図２】カーテン生地上端部に芯地を縫付ける作業工程。
【図３】吊具の具体的形状。
【図４】芯地に取付けた吊具。
【図５】本発明のカーテン上端部。
【図６】従来のカーテン上端部。
【符号の説明】
【００２１】
１  カーテン生地
２  芯地
３  係止片
４  縫目
５  縫目
６  吊具
７  係止部
８  フック部
９  係止溝
10  テープ
11  上縁
【図１】
2006223541.tif 000003
【図２】
2006223541.tif 000004
【図３】
2006223541.tif 000005
【図４】
2006223541.tif 000006
【図５】
2006223541.tif 000007
【図６】
2006223541.tif 000008